(57)【特許請求の範囲】
【請求項１】
複数の記録マークが並列して形成された情報記録膜に対向配置され、該情報記録膜の再生すべき磁束を転写する情報再生素子において、
前記記録マークの並列方向に、磁気的な絶縁領域を介在せしめた複数の転写部を備え、 前記転写部の前記情報記録膜に対向する面の寸法及び前記絶縁領域の寸法は、夫々、記録再生用の基準クロック長と略同寸法に形成してあること
を特徴とする情報再生素子。
【請求項２】
前記記録マークの並列方向は、前記情報記録膜が有するトラックの長さ方向及び／又は幅方向である請求項１記載の情報再生素子。
【請求項３】
前記転写部の前記情報記録膜に対向する側と反対の側に、転写された磁束を再生すべき転写再生膜をさらに備える請求項１又は２に記載の情報再生素子。
【請求項４】
前記転写部の前記情報記録膜に対向する面の形状は、前記情報記録膜に形成された記録マークの形状に対応している請求項１乃至３のいずれかに記載の情報再生素子。
【請求項５】
前記転写部の前記情報記録膜に対向する面の寸法は、記録再生用の基準クロック長と略同寸法であり、前記絶縁領域の寸法は、前記基準クロック長の整数倍である請求項１乃至４のいずれかに記載の情報再生素子。
【請求項６】
前記転写部の前記情報記録膜に対向する面の寸法は、記録再生用の基準クロック長よりも小さく、前記絶縁領域を含む前記転写部の寸法は、前記基準クロック長の整数倍である請求項１乃至４のいずれかに記載の情報再生素子。
【請求項７】
前記転写部と前記絶縁領域とが前記記録マークの並列する方向に交互に積層された転写積層部を、１又は複数の前記記録マークに対向すべく備える請求項１又は２記載の情報再生素子。
【請求項８】
前記転写積層部は、その複数が前記記録マークの並列方向に所定長離隔して形成してある請求項７記載の情報再生素子。
【請求項９】
請求項１乃至６のいずれかに記載の情報再生素子を備える情報再生ヘッドであって、
前記情報再生素子と、該情報再生素子が取付けられ、前記情報記録膜を有する情報記録媒体に対向配置されるスライダとを備えることを特徴とする情報再生ヘッド。
【請求項１０】
請求項７又は８記載の情報再生素子を備える情報再生ヘッドであって、
前記情報再生素子が取付けられ、前記情報記録膜を有する情報記録媒体に対向配置されるスライダと、前記情報再生素子に入射された光ビームを反射せしめる反射部材とを備えることを特徴とする情報再生ヘッド。
【請求項１１】
前記スライダは、前記情報再生素子に照射する光ビームの位置合わせのための凸条又は溝を、前記情報記録媒体のトラックの長さ方向及び幅方向に平行して形成してある請求項９又は１０記載の情報再生ヘッド。
【請求項１２】
請求項９乃至１１のいずれかに記載の情報再生ヘッドを備える情報再生装置であって、
前記情報再生素子からの出射光を受光して再生信号を検出する光電変換部と、検出された再生信号から波形干渉によるサンプル値を求めるサンプル値検出部と、前記情報再生素子の波形干渉型に基づき、前記サンプル値検出部で求められたサンプル値を用いて情報の最尤検出を行う最尤検出部とを備えることを特徴とする情報再生装置。
【請求項１３】
請求項９乃至１１のいずれかに記載の情報再生ヘッドを用いて、記録された情報を再生する情報再生方法であって、
情報記録膜に対向配置された前記情報再生素子に光ビームを照射し、光磁気光学効果により再生信号を検出する過程と、該再生信号から波形干渉によるサンプル値を求める過程と、前記情報再生素子の波形干渉型に基づき、前記求められたサンプル値を用いて最尤検出により情報を再生する過程とを有することを特徴とする情報再生方法。
【請求項１４】
複数の記録マークが並列して形成された情報記録膜に対向配置され、該情報記録膜の再生すべき磁束を転写する情報再生素子において、
前記情報記録膜と対向すべき一面に、磁気的な絶縁領域を介在せしめた複数の転写部を前記記録マークの並列方向に設けてあり、他面に、転写された磁束を再生するための光ビームを照射する転写再生面を有し、前記転写部の前記情報記録膜に対向する面の寸法及び前記絶縁領域の寸法は、夫々、記録再生用の基準クロック長と略同寸法であることを特徴とする情報再生素子。
【発明の詳細な説明】
【０００１】
【発明の属する技術分野】
本発明は、情報記録媒体に磁気的に又は熱磁気的に記録された情報を転写する情報再生素子に関し、さらに、この情報再生素子を備える情報再生ヘッド、並びに情報再生素子に転写された情報を再生する情報再生装置及び情報再生方法に関する。
【０００２】
【従来の技術及び発明が解決しようとする課題】
磁気記録及び熱磁気記録における記録密度は年々増加しており、画像，動画のような大きなデータを扱うために記録装置の大容量化がますます重要視されている。磁性膜を用いた記録媒体に情報を記録し、これを再生する手段は種々ある。例えば記録媒体が光磁気ディスクである場合は、情報を磁気的に記録した後、回折限界程度まで絞った光ビームを媒体に照射し、このとき磁性膜で生じる磁気光学効果の変化を検出する。
【０００３】
このような光磁気記録方法として光変調記録方式及び磁界変調記録方式がある。光変調記録方式は、まず、光磁気ディスクに光ビームを照射して磁性膜の磁化方向を揃え、記録データに対応して光ビームの照射を変調させることにより、磁性膜に記録マークを形成する。そして再生時には光ビームを照射して反射光の磁気光学効果の変化を読み取る。光変調記録により形成された記録マークの平面視形状は、記録データの‘１’を記録マークに対応させるピットポジション記録の場合は円形状を有する。また、記録データの‘１’を記録マークのエッジに対応させるエッジポジション記録の場合は楕円形状を有する。
【０００４】
磁界変調記録方式は、光ビームを照射しつつ、記録データに対応して印加磁界を変調させることにより、磁性膜に記録マークを形成する。そして再生時には光ビームを照射して反射光の磁気光学効果の変化を読み取る。磁界変調記録方式により形成された記録マークの形状は、光変調記録のものよりも微小であり、平面視で矢羽根状を有する。
【０００５】
光磁気ディスクに形成される記録マークの微細化により、再生時にはビームスポット内に複数の記録マークが存在し、反射光が干渉して十分な再生信号が得られないという問題がある。この問題を解決するために、ＭＳＲ（Magnetically Induced Super Resolution ）再生技術が知られている。これは、ビームスポットの温度分布を利用して、スポット内の所定の領域のみを再生可能とする技術であり、波形干渉の影響を受けずに高ＳＮＲの再生信号を得ることができる。
【０００６】
しかしながら、ＭＳＲ再生においても高密度再生に限界がある。
また、ビームスポット内に波形干渉が生じて再生信号のＳＮＲが低下するという問題に対して、ＰＲＭＬ（Partial-Response Maximum-Likelihood ）方式が知られている。これは、既知なる波形干渉型に等化し、最尤検出を行なう信号処理方式である。即ち、複数の記録マークにより波形干渉を生じた反射光から再生信号を得、この再生信号から１チャネルクロック毎のサンプル値を検出する。そして、この波形干渉の期待値と一連のサンプル値とから最も確からしいデータを再生する。これにより、再生信号のＳＮＲが低くても正確にデータを再生できる。
【０００７】
しかしながら、光磁気ディスクの波形干渉は波形干渉型ＰＲ（１，１）に近く、低域周波数の信号成分を多く有している。また、高密度記録された記録マークをＰＲＭＬ方式により再生した場合には、最尤検出における期待値が増加し、振幅マージンが劣化するために低周波数域の雑音の影響を大きく受けて正確な再生結果が得られない。このように、ＰＲＭＬ方式を用いても高密度再生に限界がある。
【０００８】
また、ＭＳＲ再生においてＰＲＭＬ方式を適用した場合には、超解像効果により信号帯域は高周波数域にシフトし、より高密度に再生できる。しかしながら、基板による低周波数域の雑音が生じてＰＲＭＬ方式の効果が発揮されないという問題があった。
【０００９】
ところで、大きな磁気光学効果を示す磁性膜を用いることにより大きな再生信号を得、これにより高密度記録された記録マークを再生する方法が知られている。例えば、磁気ディスクに磁気的に情報を記録する場合に、記録再生用の磁気ヘッドに微小な磁極を用いて高密度に記録することが可能であるが、この磁気ヘッドを用いて再生する際に磁極が小さいために誘導起電力が小さくなり、得られる再生信号の品質が劣化するという問題がある。これを解決するために、高密度に記録された磁気ディスクの磁束を、大きな磁気光学効果を示す磁性膜に転写し、この磁性膜にレーザ光を照射して転写された磁束を磁気光学効果を用いて再生する。これにより高品質の再生信号が得られる。
【００１０】
このような再生方法は、社団法人，電子情報通信学会，信学技法ＭＲ８７−１『磁区変調型光再生ヘッドの読み出し特性』及び第21回日本応用磁気学会学術講演概要集(1997)５ａＦ−１１『ハードディスク用転写型光磁気ヘッドの試作と信号読み出し』にて報告されている。しかしながら、この再生方法に用いられる再生ヘッドでは、記録波長が２μｍ以下の場合に再生信号の振幅が大幅に低下し、高密度記録された情報を再生することができないという問題があった。
【００１１】
本発明の主な目的は、磁気的な絶縁領域を隔てた複数の転写部を有し、高密度記録された情報記録媒体の情報を再生可能に転写できる情報再生素子を提供することを目的とする。また、この情報再生素子を備える情報再生ヘッドと、該情報再生ヘッドを用いて情報記録媒体の情報を最尤検出により再生する情報再生装置及び情報再生方法とを提供することにある。
【００１２】
【課題を解決するための手段】
本発明に係る情報再生素子は、複数の記録マークが並列して形成された情報記録膜に対向配置され、該情報記録膜の再生すべき磁束を転写する情報再生素子において、前記記録マークの並列方向に、磁気的な絶縁領域を介在せしめた複数の転写部を備え、前記転写部の前記情報記録膜に対向する面の寸法及び前記絶縁領域の寸法は、夫々、記録再生用の基準クロック長と略同寸法に形成したものである。
【００１３】
本発明に係る他の情報再生素子は、上記構成において、前記記録マークの並列方向は、前記情報記録膜が有するトラックの長さ方向及び／又は幅方向であるようにしたものである。
【００１４】
本発明に係る他の情報再生素子は、上記構成において、前記転写部の前記情報記録膜に対向する側と反対の側に、転写された磁束を再生すべき転写再生膜をさらに備えるようにしたものである。
【００１５】
本発明の情報再生素子にあっては、磁気的な絶縁領域を隔てて複数の転写部を設けてあり、更に転写部の前記情報記録膜に対向する面の寸法及び絶縁領域の寸法を、夫々、記録再生用の基準クロック長と略同寸法に形成してあるので、微小な記録マークの複数が互いに影響を与えることなく転写される。これにより高密度記録された記録マークを再生可能に転写できる。また、ファラデー効果を利用する場合は、情報再生素子内を透過した光を用いて再生信号を得、カー効果を利用する場合は、転写部を介して磁束が転写された転写再生膜で反射した光を用いて再生信号を得る。さらに、絶縁領域の寸法を記録再生用の基準クロック長と略同寸法に形成してあるのでその両側の複数の転写部は同一トラック内の異なる記録マークを同時に転写することもでき、また異なるトラックの記録マークを同時に転写することもできる。また、同一トラック及び異トラックのマトリクス状の記録マークを同時に転写することもできる。
【００１６】
本発明に係る他の情報再生素子は、上記構成において、前記転写部と前記絶縁領域とが前記記録マークの並列する方向に交互に積層された転写積層部を、１又は複数の前記記録マークに対向すべく備えるようにしたものである。
【００１７】
本発明の情報再生素子にあっては、透過光が転写積層部を透過する際に、転写された磁束により偏光面が回転される。このとき、透過光は絶縁領域を介して複数層が積層された転写部を透過するので、磁気光学効果が増幅されてＳＮＲが向上される。
【００１８】
本発明に係る他の情報再生素子は、複数の記録マークが並列して形成された情報記録膜に対向配置され、該情報記録膜の再生すべき磁束を転写する情報再生素子において、前記情報記録膜と対向すべき一面に、磁気的な絶縁領域を介在せしめた２つの転写部を前記記録マークの並列方向に設けてあり、他面に、転写された磁束を再生する光ビームを照射する転写再生面を有し、前記転写部の前記情報記録膜に対向する面の寸法及び前記絶縁領域の寸法は、夫々、記録再生用の基準クロック長と略同寸法であるようにしたものである。
【００１９】
本発明の情報再生素子にあっては、前記転写部を介して情報記録膜の磁束が転写され、前記転写再生面に照射されたビーム光の反射光を用いて再生信号を得る。
【００２０】
本発明に係る情報再生ヘッドは、上記構成の情報再生素子と、該情報再生素子が取付けられ、前記情報記録膜を有する情報記録媒体に対向配置されるスライダとを備えるようにしたものである。
【００２１】
本発明の情報再生ヘッドにあっては、情報記録媒体上に配されて浮上又は摺動するスライダを備え、該スライダに情報再生素子が搭載されて情報記録媒体の記録マークが転写される。
【００２２】
本発明に係る情報再生装置は、前記情報再生素子からの出射光を受光して再生信号を検出する光電変換部と、検出された再生信号から波形干渉によるサンプル値を求めるサンプル値検出部と、前記情報再生素子の波形干渉型に基づき、前記サンプル値検出部で求められたサンプル値を用いて情報の最尤検出を行う最尤検出部とを備えるようにしたものである。
【００２３】
本発明に係る情報再生方法は、情報記録膜に対向配置された前記情報再生素子に光ビームを照射し、光磁気光学効果により再生信号を検出する過程と、該再生信号から波形干渉によるサンプル値を求める過程と、前記情報再生素子の波形干渉型に基づき、前記求められたサンプル値を用いて最尤検出により情報を再生する過程とを有するようにしたものである。
【００２４】
本発明の情報再生装置，情報再生方法にあっては、転写された複数の記録マークにより既存の波形干渉型を生ぜしめ、得られた再生信号から最尤検出を行なうので、再生信号のＳＮＲが低い場合でも高精度な再生が可能となる。
【００２５】
【発明の実施の形態】
以下、本発明をその実施の形態を示す図面を参照して具体的に説明する。
【００２６】
実施の形態１．
図１は本発明の実施の形態１の転写体の構造を示す斜視図であり、図２は図１の転写体を備える本発明の再生ヘッドの構造を示す構成図である。図２に示すように、スライダ２に転写体１を取付けた再生ヘッドは、サスペンション３で支持されて光磁気ディスクＤの上方に配してある。情報再生装置は、再生ヘッド、光ビームを出射するレーザ光源（図示せず）を含む光学系、光学系を搭載して移動せしめるアクチュエータ固定部５、反射光を受光する光電変換部８、及び光電変換部８により得られた再生信号を用いてデータを再生する信号処理部９を備えている。光学系は、レーザ光源と立ち上げミラー６とフォーカス方向及びトラッキング方向に駆動可能な電磁駆動機構を備えたアクチュエータに支持された対物レンズ４とを備えている。信号処理部９は、入力された再生信号からサンプル値を求めるサンプル値検出部９１と、後述する波形干渉型に基づいて、求めた一連のサンプル値からデータを最尤検出する最尤検出部９２とを備えている。
【００２７】
再生ヘッドは転写体１を光磁気ディスクＤに対向せしめて配され、光磁気ディスクＤとの対向面と光ビームが照射する面とに透明潤滑膜が塗布されて保護層（図示せず）を形成している。光磁気ディスクＤは、トラックＬの幅が略0.8 μｍのランド基板上に光磁気記録が可能な記録膜を備えており、トラッキングのためのグルーブＧを有している。また、光磁気ディスクＤには最小マーク長が0.1 μｍの記録マークでデータが記録されている。
【００２８】
転写体１は磁性酸化物、例えばＴｂＢｉ2 Ｆｅ4 ＧａＯ12で形成されており、図１に示すように、光磁気ディスクＤのトラック幅寸法と略同幅寸法を有している。また図３に示すように、転写体１は光ビームの照射面側に矩形板状の転写再生膜１１が形成され、光磁気ディスクＤの対向面側に２つの転写路（転写部）１２がトラック長方向に絶縁ギャップ１３ａを隔てて形成されている。これにより、転写路１２の先端面である転写対向面１２ａ，１２ｂは、互いに磁気的に絶縁されている。転写路１２は、転写再生膜１１側から転写対向面１２ａ，１２ｂに向かって面積を狭めるように両外側が傾斜し、中央の絶縁ギャップ１３ａにより２つに先割れした形状を有している。転写再生膜１１の照射面と転写対向面１２ａ，１２ｂとはトラック長方向に所定の寸法で形成されている。
【００２９】
このような形状の転写体１を製造する際には、例えばＧＧＧ（ガドリウム・ガリウム・ガーネット）基板上にＴｂＢｉ2 Ｆｅ4 ＧａＯ12のような磁性ガーネット膜をＬＰＥ（液相エピタキシー）法で成長させ、磁性ガーネット膜上にレジストを被覆して露光，現像後、エッチングを施して上述した形状に形成する。ＧＧＧ基板は形成後に除去しても良いし、残してあっても良い。なお、転写体１の製造方法はこれには限らない。
【００３０】
図３は、この情報再生装置を用いて光磁気ディスクＤを再生した際の転写体の磁化状態を示す説明図であり、転写体１はトラック長方向に相対移動している。図３に示すように、転写体１のトラック長方向の寸法は、転写対向面１２ａ，１２ｂが１チャネルクロック長（基準クロック長）と略同寸法に形成され、転写再生膜１１の面（転写再生面）が、照射された光ビームのビームスポット径よりも僅かに大寸法に形成されている。また絶縁ギャップ１３ａのトラック長方向の間隔は、１チャネルクロック長と略同寸法を有している。
【００３１】
ここで１チャネルクロック長とは、転写体１及び光磁気ディスクＤ間の相対速度とチャネルクロック周波数とで決定される長さである。１チャネルクロック長と記録マークの最小マーク長との関係について説明する。図４は、記録符号化タイプによる最小マーク長とチャネルクロックとの関係を示す説明図であり、図４（ａ）はＮＲＺＩ記録の場合を示し、図４（ｂ）は（１，７）ＲＬＬ符号を用いる場合を示している。
１チャネルクロック長はチャネルクロックの１周期分に相当する。
【００３２】
ＮＲＺＩ記録でデータを磁界変調記録する場合は、記録時の磁界反転の最短間隔は１チャネルクロックである。従って、図４（ａ）に示すように、１チャネルクロック長は記録マークの最小マーク長と同寸法になる。また、記録すべきデータを（１，７）ＲＬＬ符号で変調し、エッジポジション記録方式により磁界変調記録する場合は、磁界反転の最短間隔は２チャネルクロックである。従って、図４（ｂ）に示すように、１チャネルクロック長は最小マーク長の２分の１の寸法になる。このように、１チャネルクロック長と最小マーク長とは、記録符号化のタイプによって寸法が異なる場合がある。
【００３３】
図３に示すように、転写対向面１２ａ，１２ｂは、トラック長方向に１チャネルクロック長分だけ離隔した記録マークに夫々対向し、これらの記録マークの磁束を転写路１２を介して転写再生膜１１に転写する。転写対向面１２ａ，１２ｂは上述したように、トラック長方向に互いに磁気的に絶縁されているので、記録マーク長が微小であっても、各記録マークの磁束を互いに影響を与えることなく転写再生膜１１に転写できる。
【００３４】
再生時には転写体１に光ビームを照射する。転写再生膜１１には２つの記録マークの磁化が転写されているので、ビームスポットＳ内に２つの記録マークが存在しており、波形干渉が生じる。この波形干渉が生じた反射光が光電変換部８で受光され、カー効果により再生信号が検出される（図２参照）。転写再生膜１１を形成する磁性ガーネット膜は磁気光学効果が高いので、転写された記録マークの再生信号は高いＳＮＲを得る。また、１チャネルクロック長の転写対向面１２ａ，１２ｂから、大面積の転写再生膜１１に記録マークの磁束を転写するので、ビームスポットＳ内に存在する記録マークの数を少なくすることができ、その結果、再生信号が高精度に得られる。
【００３５】
次に、この波形干渉を生じた再生信号からデータを最尤検出する信号処理方法について説明する。得られた再生信号を用いてサンプル値検出部９１でサンプル値を求める。サンプル値は転写体１の形状に応じた波形干渉型に基づいて求められる。図３に示すように、転写体１は１チャネルクロック長分の絶縁ギャップ１３ａを有しているので、３チャネルクロック長に形成された記録マークの両側の磁束で波形干渉が生じる。図５は、実施の形態１の転写体を用いて再生される磁化方向と、磁気カー効果として現れる期待値との関係を示した図である。なお、磁気カー効果は３チャネルクロック長に形成された記録マークの両側の磁束の差分として現れる場合と加算値として現れる場合（図５に「（  ）」で示す）とがあるが、以下においては差分として現れる場合について説明する。３チャネルクロック長分の記録マークの磁化方向は次の４通りが考えられる。
【００３６】
第１は、第１及び第３チャネルクロックの磁化方向が下向きのとき、即ち、ｔ−２及びｔのデータがいずれも‘０’のときであり、これを状態Ｓ0 とし、期待値は０（磁気カー効果は中立）である。第２チャネルクロックの磁化方向はどちらでも良い。第２は第１チャネルクロックの磁化方向が下向きで、第３チャネルクロックの磁化方向が上向きのとき、即ち、ｔ−２のデータが‘０’でｔのデータが‘１’のときであり、これを状態Ｓ1 とし、この期待値は１（磁気カー効果は一方に偏る）である。第２チャネルクロックの磁化方向はどちらでも良い。第３は第１チャネルクロックの磁化方向が上向きで、第３チャネルクロックの磁化方向が下向きのとき、即ち、ｔ−２のデータが‘１’でｔのデータが‘０’のときであり、期待値は−１（磁気カー効果は他方に偏る）である。第２チャネルクロックの磁化方向はどちらでも良い。そして第４は第１及び第３チャネルクロックの磁化方向が上向きのとき、即ち、ｔ−２及びｔのデータがいずれも‘１’のときであり、期待値は０（磁気カー効果は中立）である。第２チャネルクロックの磁化方向はどちらでも良い。
【００３７】
図５から、期待値は１，０，−１の３種類であるので、波形干渉型はＰＲ（１，０，−１）となることが予め判る。これにより、検出された再生信号のレベルは、１チャネルクロック毎に３値にサンプリングしたサンプル値で表すことができる。このように求められたサンプル値は最尤検出部９２で最尤検出され、データが再生される。図６はＰＲ（１，０，−１）の状態遷移図である。図中０／−１は、状態Ｓ1 から状態Ｓ0 へ遷移する場合に、データが‘０’でサンプル値が‘−１’であることを示している。波形干渉型と一連のサンプル値とから最尤検出によりデータを検出する方法は公知であり、ＰＲ（１，０，−１）の場合も同様に検出できるので、ここではその説明を省略する。
【００３８】
以上のように、本実施の形態１の転写体１は磁気光学効果の大きな磁性ガーネット膜で形成されており、１チャネルクロック長の絶縁ギャップ１３ａを有して２つの転写路１２を設けてある。トラック長方向に１チャネルクロック長だけ離隔した位置にある記録マークが、夫々の転写路１２に互いに磁気的に絶縁されて転写されるので、高密度記録された記録マークを転写体１に再生可能に転写できる。また、転写再生膜１１に照射されたビームスポットＳ内の記録マークの数を低減できるので、高密度記録された記録マークを超解像再生できる。さらに、転写再生膜１１に転写された記録マークにより波形干渉が生じ、最尤検出を用いるので高精度に再生できる。さらにまた、波形干渉型ＰＲ（１，０，−１）は、再生信号の周波数帯域に微分要素が入るので低域周波数の雑音が削除され、拘束長が長い最尤検出を行なうことができる。従って検出能力が向上する。また、波形干渉型ＰＲ（１，０，−１）の最尤検出には、磁気ディスクの再生のために既に用いられている最尤検出器を使用することができる。
【００３９】
なお、上述した転写体１は空間である絶縁ギャップ１３ａを絶縁領域として設けた場合を説明しているが、これに限るものではなく、例えばガラス，ポリカーボネートのような絶縁材を転写路１２間に介在した構造であっても同様の効果を得る。
【００４０】
実施の形態２．
図７は実施の形態２の転写体１の構造を示す斜視図である。転写路１２は矩形板状を有し、転写再生膜１１の下面にトラック長方向に所定寸法の絶縁ギャップ１３ａを隔てて形成されている。その他の構成は実施の形態１と同様である。実施の形態１では転写再生膜１１と転写路１２とを同じ磁性体で一体的に形成した場合を説明しているが、実施の形態２は異なる磁性体、例えば転写路１２がＮｉＦｅで形成され、転写再生膜１１がＴｂＢｉ2 Ｆｅ4 ＧａＯ12で形成してあっても良い。この場合も上述した如き再生方法により、全く同様の効果を得ることができる。また、転写路１２は矩形板状であるので、絶縁ギャップ１３ａの寸法，転写路１２の寸法の設定が行い易い。絶縁ギャップ１３ａの寸法，転写路１２の寸法に応じて波形干渉型が決定される。例えばビームスポットＳの径と、転写路１２の寸法とが大きく異なる場合は、絶縁領域の間隔を広く設定することにより高精度に転写され、この転写体の転写路に応じた波形干渉型の最尤検出を行うことができる。
【００４１】
実施の形態３．
図８は、実施の形態３の転写体の構造及び再生時の転写体の磁化状態を示す説明図である。転写体１は、転写再生膜１１の下面に、ガラス，ポリカーボネート等の絶縁材１３を介在せしめた矩形板状の転写路１２を有している。転写再生膜１１及び転写路１２はＴｂＢｉ2 Ｆｅ4 ＧａＯ12のような磁性ガーネット膜で形成されている。
【００４２】
２つの転写路１２は絶縁材１３を挟んでトラック長方向に配されている。転写対向面１２ａ，１２ｂのトラック長方向の寸法は１チャネルクロック長よりも短く、絶縁材１３を介在せしめた転写路１２全体のトラック長方向の寸法は２チャネルクロック長と略同寸法である。
【００４３】
このような構造の転写体１を用いて実施の形態１と同様に光磁気ディスクＤを再生した場合、転写対向面１２ａ，１２ｂの夫々に対向するトラック長方向に隣合う記録マークの磁化が転写路１２を介して転写再生膜１１に転写される。このとき、転写対向面１２ａ，１２ｂは絶縁材１３により磁気的に絶縁されているので、互いの磁化に影響されることなく転写される。この転写体１は波形干渉型ＰＲ（１，１）の波形干渉が生じることが予め判っており、波形干渉が生じた反射光により再生信号を得る。再生信号からサンプル値を求め、波形干渉型ＰＲ（１，１）の最尤検出を行なってデータを再生する。
【００４４】
以上の如く実施の形態３の転写体１を用いて、実施の形態１と同様の効果を得る。即ち、絶縁材１３を転写路１２間に介在せしめることにより、高密度記録された記録マークを転写体１に再生可能に転写できる。また、転写再生膜に照射されたビームスポットＳ内の記録マークの数を低減でき、さらに、転写再生膜１１に転写された記録マークを最尤検出を用いて高精度に再生できる。この転写体１を用いた場合、光磁気ディスクＤを通常の光磁気再生した場合と比較して、ＳＮＲが２ｄＢ程度向上した。
【００４５】
実施の形態４．
図９は、実施の形態４の転写体の構造及び再生時の転写体の磁化状態を示す説明図である。転写体１は、転写再生膜１１の下面に除々に面積を狭めた形状の転写路１２を有している。転写再生膜１１及び転写路１２はＴｂＢｉ2 Ｆｅ4 ＧａＯ12のような磁性ガーネット膜で形成されている。転写体１の光磁気ディスクＤの対向側には２つの絶縁ギャップ１３ａ，１３ｂが形成されており、３つの転写路１２が絶縁ギャップ１３ａ，１３ｂをトラック長方向に隔てて形成されている。転写路１２の夫々の転写対向面１２ａ，１２ｂ，１２ｃのトラック長方向の寸法は１チャネルクロック長と略同寸法であり、絶縁ギャップ１３ａ，１３ｂのトラック長方向の寸法は１チャネルクロック長と略同寸法である。
【００４６】
このような構造の転写体１を用いて実施の形態１と同様に光磁気ディスクＤを再生した場合、転写対向面１２ａ，１２ｂ，１２ｃの夫々に対向し、トラック長方向に１チャネルクロック長ずつ離隔した位置にある記録マークが、転写路１２を介して転写再生膜１１に転写される。このとき、転写対向面１２ａ，１２ｂ，１２ｃは絶縁ギャップ１３ａ，１３ｂにより磁気的に絶縁されているので、互いの磁化に影響されることなく転写される。第１及び第２の光ビームを転写再生膜１１の半領域夫々に照射すると、波形干渉型ＰＲ（１，０，−１）及びＰＲ（−１，０，１）の波形干渉が、転写再生膜１１の半領域ずつで生じる。これらの反射光を減算するとＰＲ（１，０，０，０，−１）の波形干渉型となることが予め判る。減算された反射光により再生信号を得る。再生信号からサンプル値を求め、波形干渉型ＰＲ（１，０，０，０，−１）の最尤検出を行なってデータを再生する。
【００４７】
以上の如く実施の形態４の転写体１を用いて、実施の形態１と同様の効果を得る。即ち、高密度記録された記録マークを転写体１に再生可能に転写できる。また、転写再生膜に照射されたビームスポットＳ内の記録マークの数を低減でき、さらに、転写再生膜１１に転写された記録マークを最尤検出を用いて高精度に再生できる。さらにまた実施の形態４では、５チャンネルクロック長分の記録マークを、微分形を含み、拘束長が長く、また期待値が１，０，−１の３値であるような比較的簡単な波形干渉型を用いて再生することができる。
【００４８】
実施の形態５．
図１０は、実施の形態５の転写体の構造及び再生時の転写体の磁化状態を示す説明図である。転写体１は、転写再生膜１１の下面に、矩形板状の２つの転写路１２がトラック長方向に絶縁ギャップ１３ａを隔てて形成されている。転写再生膜１１及び転写路１２はＴｂＢｉ2 Ｆｅ4 ＧａＯ12のような磁性ガーネット膜で形成されている。転写対向面１２ａ，１２ｂのトラック長方向の寸法は１チャネルクロック長と略同寸法であり、絶縁ギャップ１３ａのトラック長方向の寸法は略４チャネルクロック長を有している。
【００４９】
このような構造の転写体１を用いて実施の形態１と同様に光磁気ディスクＤを再生した場合、転写対向面１２ａ，１２ｂの夫々に対向し、トラック長方向に４チャネルクロック長だけ離隔した記録マークの磁化が転写路１２を介して転写再生膜１１に転写される。このとき、転写対向面１２ａ，１２ｂは絶縁ギャップ１３ａにより磁気的に絶縁されているので、互いの磁化に影響されることなく転写される。そして、転写再生膜１１で波形干渉型ＰＲ（１，０，０，０，０，−１）の波形干渉が生じ、この反射光により再生信号を得る。再生信号からサンプル値を求め、波形干渉型ＰＲ（１，０，０，０，０，−１）の最尤検出を行なってデータを再生する。
【００５０】
以上の如く実施の形態５の転写体１を用いて、実施の形態１と同様の効果を得る。即ち、高密度記録された記録マークを転写体１に再生可能に転写できる。また、転写再生膜に照射されたビームスポットＳ内の記録マークの数を低減でき、さらに、転写再生膜１１に転写された記録マークを最尤検出を用いて高精度に再生できる。
【００５１】
実施の形態６．
上述した実施の形態１〜５では、転写路１２の転写対向面の形状が矩形状である場合を説明している。前述したように、記録方式の違いなどにより記録マークの形状は異なる。図１１は転写対向面を矢羽根形状に形成した転写体の構造を示す斜視図である。図に示すように、転写体１はトラック長方向に所定長の絶縁ギャップ１３ａを隔てて２つの転写路１２を有している。各転写路１２は一側に湾曲する板状に形成され、転写対向面１２ａ，１２ｂは矢羽根形状を有している。光磁気ディスクＤは磁界変調記録方式により情報が記録されており、形成された記録マークの形状は平面視で矢羽根状である。その他の構成は実施の形態２と同様であり、説明を省略する。
このように、転写路の転写対向面１２ａ，１２ｂを記録マークと略同じ形状にすることにより、転写精度が向上する。
【００５２】
また、図１２は転写対向面を楕円形状に形成した転写体の構造を示す斜視図である。図に示すように、転写体１は所定長の絶縁ギャップ１３ａを有してトラック長方向に配列する２つの転写路１２を備える。転写路１２は転写対向面１２ａ，１２ｂが楕円断面を有する円柱状に形成されている。光磁気ディスクＤは光変調記録方式により情報が記録されており、形成された記録マークの形状は平面視で楕円形状である。その他の構成は実施の形態２と同様であり、説明を省略する。このように、転写路の転写対向面１２ａ，１２ｂを記録マークと略同じ形状にすることにより、転写精度が向上する。
【００５３】
なお、上述した実施の形態１〜５の転写路１２は、転写対向面が略矩形状を有している。磁気ディスクに形成されるマークは略矩形状であるので、磁気ディスクに記録されたデータを上述した如く転写再生する際に、転写精度はより向上する。
【００５４】
実施の形態７．
次に、本発明の情報再生ヘッドを構成するスライダの構造について説明する。転写体１を取付けたスライダは記録媒体との間の空気流により浮上又は摺動し、再生時にはトラック幅方向に僅かに変位する。この変位に追従して光ビームを転写体に照射するために、スライダに凸条又は溝のような案内部が形成されている。図１３は案内部として凸条が形成されたスライダの構造図であり、図１３（ａ）は平面図、図１３（ｂ）及び図１３（ｃ）は夫々側面図である。スライダ２は、ディスクとの相対移動方向後部において媒体対向面を斜めに切削した板状であり、例えば合成樹脂で形成された本体２１上に透明保護膜２２が塗布されている。透明保護膜２２は、光ビームが透過でき、転写再生膜を保護できる材質であれば良い。本体２１は、所定位置に上述した如き形状の転写体１を埋め込み固定しており、本体２１の上面には転写体１を中心にして十字状に凸条２３，２４が形成されている。
【００５５】
転写体１に照射された光ビームは凸条２３，２４でも反射し、反射光はトラッキングエラー信号を含んでおり、この信号を用いて光学系の移動制御を行なう。転写体１に光ビームを照射するためのトラック幅方向の位置合わせは凸条２３で行い、トラック長方向の位置合わせは凸条２４で行なう。これにより、転写再生膜上に正確に光ビームを照射できる。
【００５６】
実施の形態８．
図１４は案内部として溝が形成されたスライダの構造図であり、図１４（ａ）及び図１４（ｂ）は夫々側面図である。本体２１には所定位置に上述した如き形状の転写体１が埋め込み固定され、本体２１の上面には転写体１を中心にして十字状に溝２３ｇ，２４ｇが形成されている。その他の構成は実施の形態７と同様である。転写体１に光ビームを照射するためのトラック幅方向の位置合わせは溝２３ｇで行い、トラック長方向の位置合わせは溝２４ｇで行なう。
これにより、転写再生膜上に正確に光ビームを照射できる。
【００５７】
実施の形態９．
以上に説明した再生ヘッド及び再生方法は、複数の転写路がトラック長方向に並ぶ向きに転写体を配し、トラック長方向に並列した記録マークを転写する場合を説明している。転写する記録マークはトラック長方向に並列したものに限らない。トラック幅方向に並列したもの、即ち、隣合うトラックに形成された記録マークを転写して再生する場合について以下に説明する。
【００５８】
図１５は実施の形態９の転写体１の構造を示す斜視図である。転写再生膜１１の下側で、２つの転写路１２はトラック幅方向に絶縁ギャップ１３ａを隔てて形成されている。即ち、転写路１２は、夫々隣合うトラックＬn ，Ｌn+1 に転写対向面１２ａ，１２ｂを対面させている。絶縁ギャップ１３ａのトラック幅方向の寸法は、光磁気ディスクＤのグルーブＧの幅寸法と略同じである。また転写対向面１２ａ，１２ｂのトラック幅方向の寸法は、トラックＬn ，Ｌn+1 の幅寸法と略同じであり、トラック長方向の寸法は略１チャネルクロック長である。転写再生膜１１及び転写路１２はＴｂＢｉ2 Ｆｅ4 ＧａＯ12のような磁性ガーネット膜で形成されており、転写体１のその他の構成及び再生装置の構成は、実施の形態１に示す転写体１と同様である。
【００５９】
このような構成の転写体１を用いて実施の形態１と同様に光磁気ディスクＤの再生を行なった場合は、隣合う２トラックの記録マークが転写再生膜１１に同時に転写され、波形干渉を生じた反射光を用いて、２トラック分のデータをＰＲ（１，０，−１）又はＰＲ（１，１）の最尤検出により同時に再生できる。また、転写路１２間に絶縁ギャップ１３ａを設けてあるので、実施の形態１と同様の効果を得ることができる。
【００６０】
実施の形態１０．
図１６は実施の形態１０の転写体の構造を示す斜視図である。実施の形態９と同様、隣合う２トラックの記録マークを転写再生膜１１に転写すべく、トラック幅方向に絶縁ギャップ１３ａを隔てて２つの転写路１２が形成されている。転写路１２は矩形板状を有しており、転写路１２と転写再生膜１１とは異なる磁性体で形成してあっても良い。このような転写体１を用いて光磁気ディスクＤを再生した場合は実施の形態９と同様の効果を得る。
【００６１】
なお、実施の形態９，１０は隣合う２トラックのデータを同時に再生する場合を説明しているが、２トラックに限るものではない。トラック数に応じた数の転写路を設け、その転写体の波形干渉型に応じて最尤検出することにより、複数のトラックのデータを同時に再生することができる。
【００６２】
実施の形態１１．
図１７は、実施の形態１１の転写体の再生時の状態を示す斜視図である。実施の形態９と同様、隣合う２トラックの記録マークを転写すべく、トラック幅方向に転写路１２を配している。光磁気ディスクＤは、１つのランドに２つのトラックＬn ，Ｌn+1 が形成され、夫々のトラックＬn ，Ｌn+1 にはグルーブを有することなく記録マークが形成されている。転写体１は転写路１２間に絶縁ギャップ１３ａを有するので、グルーブを設けていない２トラック間の記録マークを互いの磁化に影響を与えることなく転写再生膜１１に転写でき、実施の形態９と同様の効果を得る。なお、図１７では１ランドに２トラックを形成した媒体を示しているが、これに限るものではなく、グルーブが形成されていない媒体、例えば、ピットによりトラッキング制御を行なうような媒体であっても適用できる。
【００６３】
実施の形態１２．
図１８は実施の形態１２の転写体の構造を示す斜視図である。転写再生膜１１の下側で、４つの転写路１２は、トラック幅方向及びトラック長方向に夫々絶縁ギャップ１３ａを隔ててマトリクス状に形成されている。光磁気ディスクＤは、１ランドに２トラックを形成したタイプのものである。
【００６４】
図１９は、実施の形態１２の転写体の転写対向面とトラックとの位置関係を示す説明図である。転写対向面１２ａ，１２ｂ及び転写対向面１２ｃ，１２ｄのトラック幅方向の寸法は、絶縁ギャップ１３ａを含んで略２トラック分の幅寸法よりも小さく、夫々の転写対向面が隣合うトラックＬn ，Ｌn+1 に対向している。また、転写対向面１２ａ，１２ｄ及び転写対向面１２ｂ，１２ｃのトラック長方向の寸法は、絶縁ギャップ１３ａを含んで略２チャネルクロック長よりも小さく、夫々の転写対向面が隣合う記録マークに対向している。転写再生膜１１及び転写路１２はＴｂＢｉ2 Ｆｅ4 ＧａＯ12のような磁性ガーネット膜で形成されている。転写体１を備える再生装置の構成は、実施の形態１と同様である。
【００６５】
このような構成の転写体１を用いて実施の形態１と同様に光磁気ディスクＤの再生を行なった場合は、隣合う２トラックの記録マークと同トラックの隣合う記録マークとを同時に転写再生膜１１に転写し、２次元的に波形干渉が生じる。このときの波形干渉型は
【００６６】
【数１】
0003648628.tif 000002
【００６７】
である。転写再生膜１１の反射光を用いて、２次元２×２のデータを実施の形態１と同様に最尤検出により再生する。図２０は
【００６８】
【数２】
0003648628.tif 000003
【００６９】
の状態遷移図である。
波形干渉型と一連のサンプル値とから最尤検出によりデータを検出する方法は公知であり、ここではその説明を省略する。このように実施の形態１２では、隣合う２トラックの記録マークを同時に再生でき、同トラックの記録マークを最尤検出により再生できる。また、転写路１２間に絶縁ギャップ１３ａを設けてあるので、実施の形態１と同様の効果を得る。
【００７０】
なお、実施の形態１２では２次元２×２のデータ再生する場合を説明しているが、これに限るものではなく、転写体の転写路を所定数で形成することにより、２次元ｍ×ｍのデータを再生することができる。また、転写路１２の形状は上述した形状に限るものではなく、矩形板状の場合であっても２次元的に転写することができる。
【００７１】
実施の形態１３．
上述した実施の形態１〜１２の再生方法は、転写体の反射光のカー効果を用いて再生信号を得る場合を説明しているが、入射光のファラデー効果を用いて波形干渉を生じた再生信号を得ることもできる。
【００７２】
図２１は、実施の形態１３の転写体を備える再生ヘッドの構成を示す断面図である。転写体１０は光磁気ディスクＤに対向配置されており、平面視は矩形状を有する。転写体１０は縦断面視で略台形状を有しており、光ビーム入射側は光磁気ディスクＤの対向側よりも大面積に形成されている。転写体１０は略中央に転写積層部１００を設けている。転写積層部１００はトラック長方向に１チャネルクロック長と同寸法又はこれより短い寸法を有しており、ＴｂＢｉ2 Ｆｅ4 ＧａＯ12のような磁性膜２０と、ガラス，ポリカーボネートのような絶縁膜３０とをトラック長方向に交互に積層して形成している。磁性膜２０及び絶縁膜３０は、いずれも５ｎｍ〜１０ｎｍの膜厚で積層されている。転写体１０の転写積層部１００以外の部分は、光が透過する材質のものであれば、磁性体であっても絶縁体であっても良い。転写体１０は、蒸着，スパッタ法などにより前記トラック長方向に積層形成されている。
【００７３】
再生ヘッドは、スライダ２に転写体１０を埋め込み固定し、転写体１０の台形を形成する斜面で入射光が反射するように両側にミラー２１を配している。再生時に光ビームが転写体１０に入射し、ミラー２１で反射して転写体１０内をトラック長方向に透過する。このとき、転写体１０の転写積層部１００の磁性膜２０には対向する記録マークの磁束が転写されており、転写積層部１００を入射光が透過することにより偏光面が回転し、ミラー２１で反射されて転写体１０から出射し、光電変換部８（図２参照）に受光される。透過光から再生信号を得てデータを再生する再生装置の構成は実施の形態１と同様であり、説明を省略する。なお、本実施の形態１３では、転写積層部１００は１つの記録マークのみを転写するので波形干渉型はＰＲ（１）であり、波形干渉は生じない。
【００７４】
転写積層部１００を透過することにより、磁気光学効果は増幅されて再生信号のＳＮＲは高くなる。このように転写体１０は、磁気光学効果が大きな複数の磁性膜２０の間に絶縁膜３０を介在し、再生すべき磁束を転写した複数の磁性膜２０を透過するので高密度記録された記録マークを高ＳＮＲで再生できる。また、入射された光ビームが透過する記録マークの数を低減できるので、高密度記録された記録マークを超解像再生できる。
【００７５】
実施の形態１４．
図２２は実施の形態１４の転写体１０を備える再生ヘッドの構成を示す断面図である。転写体１０は２つの転写積層部１００を絶縁膜３０を介在せしめてトラック長方向に配列させてある。各転写積層部１００はトラック長方向に略１チャネルクロック長又はこれより短い寸法を有し、略１チャネルクロック長と略同寸法の絶縁膜３０を介して複数が形成されている。転写体１０のその他の構成は実施の形態１３と同様であり、説明を省略する。
【００７６】
再生時に光ビームが転写体１０に入射し、ミラー２１で反射して転写体１０内をトラック長方向に透過する。このとき、転写体１０の２つの転写積層部１００の磁性膜２０には１チャネルクロック長分だけ離隔した記録マークの磁束が夫々転写されており、転写積層部１００を入射光が透過することにより波形干渉を生じた透過光が転写体１０から出射し、光電変換部８（図２参照）に受光される。透過光から再生信号を得てデータを再生する再生装置の構成は実施の形態１と同様であり、説明を省略する。なお、本実施の形態１４では波形干渉型ＰＲ（１，０，１）が生じることが予め判る。
【００７７】
このように転写積層部１００を透過することにより、磁気光学効果は増幅されて再生信号のＳＮＲは高くなる。また転写体１０は、磁気光学効果が大きな転写積層部１００の間に絶縁膜３０を介在してあるので、互いの磁化に影響を受けることなく複数の記録マークを転写できる。さらに、入射光は転写積層部１００内の複数の磁性膜２０を透過するので再生信号のＳＮＲが向上する。さらにまた、入射された光ビームが透過する記録マークの数を低減できるので、高密度記録された記録マークを超解像再生でき、転写体１０に転写された複数の記録マークを最尤検出により再生できる。
【００７８】
実施の形態１５．
図２３は、実施の形態１５の転写体を備える再生ヘッドの構成を示す断面図である。転写体１０は２つの転写積層部１００を絶縁膜３０を介在せしめてトラック長方向に有している。各転写積層部１００はトラック長方向に１チャネルクロック長より短い寸法を有し、絶縁膜３０を介在した２つの転写積層部１００の寸法は２チャネルクロック長と略同寸法又は短い寸法を有している。転写体１０のその他の構成は実施の形態１３と同様であり、説明を省略する。
【００７９】
再生時に光ビームが転写体１０に入射し、ミラー２１で反射して転写体１０内をトラック長方向に透過する。このとき、転写体１０の２つの転写積層部１００の磁性膜２０には隣合う記録マークの磁束が夫々転写されており、転写積層部１００を入射光が透過することにより波形干渉を生じた透過光が転写体１０から出射し、光電変換部８（図２参照）に受光される。透過光から再生信号を得てデータを再生する再生装置の構成は実施の形態１と同様であり、説明を省略する。なお、本実施の形態１４では波形干渉型ＰＲ（１，１）が生じることが判る。
【００８０】
転写積層部１００を透過することにより、磁気光学効果は増幅されて再生信号のＳＮＲは高くなる。また転写体１０は、磁気光学効果が大きな転写積層部１００の間に絶縁膜３０を介在してあるので、互いの磁化に影響を与えることなく複数の記録マークを転写できる。
【００８１】
さらに、入射光は転写積層部１００内で複数の磁性膜２０を透過するので再生信号のＳＮＲが向上する。さらにまた、入射された光ビームが透過する記録マークの数を低減できるので、高密度記録された記録マークを超解像再生でき、転写体１０に転写された複数の記録マークを最尤検出により再生できる。
【００８２】
なお、実施の形態１４，１５では、絶縁膜３０を介して複数の転写積層部１００を設けた場合を説明しているが、これに限るものではなく、転写積層部１００は磁性ガーネット膜のような磁性体の単層であっても良い。この場合は、絶縁膜３０を介した夫々の単層に記録マークが転写される。
【００８３】
また、実施の形態１３〜１５に示したように、転写体１０に光ビームを入射してファラデー効果により再生信号を得る場合であっても、実施の形態９〜１２に示した如く、トラック幅方向に絶縁領域を介して複数の転写積層部１００を形成し、複数トラックを同時に再生することも可能である。
【００８４】
さらに、上述した実施の形態においては、光磁気ディスクに熱磁気的に記録された記録マークを転写体に転写せしめ、光磁気的再生信号を用いて記録マークを再生する場合を説明しているが、これに限るものではなく、磁気ディスクに磁気記録されたデータを転写体に転写せしめて、再生することもできる。
【００８５】
さらにまた、転写体を構成する磁性体は上述したものに限らず、例えばＧｄＦｅＣｏのような合金膜，ＹＦｅＯ3 のようなオルソフェライトなど、情報記録媒体に対向配置することにより磁束が転写可能なものであれば適用可能である。
【００８６】
【発明の効果】
以上のように、本発明の情報再生素子では、複数の転写部を磁気的な絶縁領域を介在せしめて形成してあるので、高密度記録された記録マークの複数を互いに絶縁しつつ転写でき、情報再生素子からの再生が可能となる。また、波形干渉を生じた反射光又は透過光を用いて最尤検出ができるので、ＳＮＲが低い再生信号からでも高精度に再生することが可能である。さらに、再生信号に用いる反射光又は透過光に含まれる記録マークの数を低減できるので、高密度記録された情報を超解像再生できる。
【図面の簡単な説明】
【図１】  本発明の実施の形態１の情報再生素子の構造を示す斜視図である。
【図２】  図１の情報再生素子を備える本発明の再生ヘッドの構造を示す構成図である。
【図３】  本発明の情報再生装置の再生時の転写体の磁化状態を示す説明図である。
【図４】  記録符号化タイプによる最小マーク長とチャネルクロックとの関係を示す説明図である。
【図５】  実施の形態１の転写体を用いて再生される磁化方向と期待値との関係を示した図である。
【図６】  波形干渉型ＰＲ（１，０，−１）の状態遷移図である。
【図７】  実施の形態２の転写体の構造を示す斜視図である。
【図８】  実施の形態３の転写体の構造及び再生時の磁化状態を示す説明図である。
【図９】  実施の形態４の転写体の構造及び再生時の磁化状態を示す説明図である。
【図１０】  実施の形態５の転写体の構造及び再生時の磁化状態を示す説明図である。
【図１１】  転写対向面が矢羽根形状である本発明の転写体の構造を示す斜視図である。
【図１２】  転写対向面が楕円形状である本発明の転写体の構造を示す斜視図である。
【図１３】  本発明のスライダの構造図である。
【図１４】  本発明の他のスライダの構造図である。
【図１５】  実施の形態９の転写体の構造を示す斜視図である。
【図１６】  実施の形態１０の転写体の構造を示す斜視図である。
【図１７】  実施の形態１１の転写体の再生時の状態を示す斜視図である。
【図１８】  実施の形態１２の転写体の構造を示す斜視図である。
【図１９】  図１８の転写体の転写対向面とトラックとの位置関係を示す説明図である。
【図２０】  他の波形干渉型の状態遷移図である。
【図２１】  実施の形態１３の転写体を備える再生ヘッドの構成を示す断面図である。
【図２２】  実施の形態１４の転写体を備える再生ヘッドの構成を示す断面図である。
【図２３】  実施の形態１５の転写体を備える再生ヘッドの構成を示す断面図である。
【図１】
0003648628.tif 000004
【図２】
0003648628.tif 000005
【図３】
0003648628.tif 000006
【図４】
0003648628.tif 000007
【図５】
0003648628.tif 000008
【図６】
0003648628.tif 000009
【図７】
0003648628.tif 000010
【図８】
0003648628.tif 000011
【図９】
0003648628.tif 000012
【図１０】
0003648628.tif 000013
【図１１】
0003648628.tif 000014
【図１２】
0003648628.tif 000015
【図１３】
0003648628.tif 000016
【図１４】
0003648628.tif 000017
【図１５】
0003648628.tif 000018
【図１６】
0003648628.tif 000019
【図１７】
0003648628.tif 000020
【図１８】
0003648628.tif 000021
【図１９】
0003648628.tif 000022
【図２０】
0003648628.tif 000023
【図２１】
0003648628.tif 000024
【図２２】
0003648628.tif 000025
【図２３】
0003648628.tif 000026